(57)【特許請求の範囲】
【請求項１】
他の情報処理装置により管理されるウェブサイトの所定のページに表示される広告情報を管理する情報処理装置において、
ユーザ端末の要求に対応して前記他の情報処理装置より送信されてくる前記ウェブサイトの前記所定のページの情報に含まれるアドレス情報を用いて行われる前記ユーザ端末からのアクセスを受け付ける受付手段と、
前記受付手段により受け付けられた前記アクセスの情報から、前記ユーザ端末の識別情報を取得する取得手段と、
複数の広告情報に関する履歴情報を、前記ユーザ端末の識別情報に対応付けて記憶するデータベースと、
前記データベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択する選択手段と、
前記選択手段により選択された前記広告情報を、前記ユーザ端末に送信する送信手段と
を備える情報処理装置。
【請求項２】
前記選択手段は、前記ユーザ端末の識別情報に対応する前記履歴情報を用いて、前記複数の広告情報の中から、前記ユーザ端末において直前に表示されていた広告情報を除外して、前記ユーザ端末に表示させる広告情報を選択する
請求項１に記載の情報処理装置。
【請求項３】
前記選択手段は、前記ユーザ端末の識別情報に対応する前記履歴情報を用いて、前記複数の広告情報の中から、前記ユーザ端末への送信回数が所定の送信回数を超えた広告情報を除外して、前記ユーザ端末に表示させる広告情報を選択する
請求項２に記載の情報処理装置。
【請求項４】
前記選択手段は、前記ユーザ端末の識別情報に対応する前記履歴情報を用いて、前記複数の広告情報の中から、前記ユーザ端末の地域外を送信対象とする広告情報を除外して、前記ユーザ端末に表示させる広告情報を選択する
請求項３に記載の情報処理装置。
【請求項５】
前記選択手段は、さらに、前記データベースから得られる前記履歴情報または前記広告情報の属性情報を用いて、除外されて残った複数の広告情報の中から、広告情報が表示された回数のうち、その対象が登録となる割合、表示された広告情報のクリック率、前記所定のページと広告情報の関連性、および、表示された広告情報に対する前記ユーザ端末のクリックの有無の少なくとも１つに基づいて、前記ユーザ端末に表示させる広告情報を選択する
請求項１乃至４のいずれかに記載の情報処理装置。
【請求項６】
他の情報処理装置により管理されるウェブサイトの所定のページに表示される広告情報を管理する情報処理装置の情報処理方法において、
前記情報処理装置が、
ユーザ端末の要求に対応して前記他の情報処理装置より送信されてくる前記ウェブサイトの前記所定のページの情報に含まれるアドレス情報を用いて行われる前記ユーザ端末からのアクセスを受け付け、
受け付けられた前記アクセスの情報から、前記ユーザ端末の識別情報を取得し、
複数の広告情報に関する履歴情報を、前記ユーザ端末の識別情報に対応付けて記憶するデータベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択し、
選択された前記広告情報を、前記ユーザ端末に送信するステップ
を含む情報処理方法。
【請求項７】
他の情報処理装置により管理されるウェブサイトの所定のページに表示される広告情報を管理する情報処理装置のコンピュータを、
ユーザ端末の要求に対応して前記他の情報処理装置より送信されてくる前記ウェブサイトの前記所定のページの情報に含まれるアドレス情報を用いて行われる前記ユーザ端末からのアクセスを受け付ける受付手段と、
前記受付手段により受け付けられた前記アクセスの情報から、前記ユーザ端末の識別情報を取得する取得手段と、
複数の広告情報に関する履歴情報を、前記ユーザ端末の識別情報に対応付けて記憶するデータベースと、
前記データベースから得られる前記ユーザ端末の識別情報に対応する前記履歴情報を用いて、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記複数の広告情報の中から、前記ユーザ端末に表示させる広告情報を選択する選
択手段と、
前記選択手段により選択された前記広告情報を、前記ユーザ端末に送信する送信手段と
して機能させるためのプログラム。
【請求項８】
ユーザ端末、ウェブサイトを管理する第１の情報処理装置、および、前記ウェブサイトの所定のページに表示される広告情報を管理する第２の情報処理装置からなる情報処理システムにおいて、
前記第１の情報処理装置は、
前記ユーザ端末からの前記所定のページの要求に対応して、前記所定のページを構成する情報を送信する送信手段を備え、
前記ユーザ端末は、
前記所定のページを構成する情報に含まれるアドレス情報により特定される前記第２の情報処理装置にアクセスを行うアクセス手段と、
前記アクセス手段による前記アクセスに対応して、前記第２の情報処理装置から送信されてくる前記広告情報を、前記所定のページ上に表示させる表示制御手段とを備え、
前記第２の情報処理装置は、
前記ユーザ端末からの前記アクセスを受け付ける受付手段と、
前記受付手段により受け付けられた前記アクセスの情報から、前記ユーザ端末の識別情報を取得する取得手段と、
複数の広告情報に関する履歴情報を、前記ユーザ端末の識別情報に対応付けて記憶するデータベースと、
前記データベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択する選択手段と、
前記選択手段により選択された前記広告情報を、前記ユーザ端末に送信する送信手段と
を備える
情報処理システム。
【発明の詳細な説明】
【技術分野】
【０００１】
本発明は、情報処理装置および方法、プログラム、並びに情報処理システムに関し、特に、ユーザに最適な広告を表示させることで、その広告の対象物の購入を促進することができるようにした情報処理装置および方法、プログラム、並びに情報処理システムに関する。
【背景技術】
【０００２】
インターネット上で商品やサービスの販売を促進するために成果報酬型のアフィリエイトを利用するユーザが多くなってきている。成果報酬型のアフィリエイトは、あるサイトの所定のページ内に商品紹介リンク（すなわち、商品の広告）を設けておき、その広告を経由して商品が販売されると、広告主から売上に応じた額の報酬がそのサイトを運営するサイト管理者に支払われるシステムである。
【０００３】
このような成果報酬型のアフィリエイトは、携帯電話機に代表されるモバイル市場向けのサイトにおいても利用されている（特許文献１参照）。
【先行技術文献】
【特許文献】
【０００４】
【特許文献１】特開２００８−９８０５号公報
【発明の概要】
【発明が解決しようとする課題】
【０００５】
ところで、従来、サイト管理者が運営するサイトの所定のページに表示されている純広告は、ある一定期間、すべてのユーザに対して固定的に表示させるものであった。
【０００６】
すなわち、従来、純広告は、ユーザがその純広告の対象物に対して興味がある、興味のないによらず表示されるものであった。したがって、純広告が、その純広告に対して興味のないユーザの端末に表示された場合には、広告主にとっては、広告可能な場所や機会が限られているにも関わらず、その広告の機会損失となっていた。
【０００７】
本発明はこのような状況に鑑みてなされたものであり、ユーザに最適な広告を表示させることで、その広告の対象物の購入を促進することができるようにするものである。
【課題を解決するための手段】
【０００８】
本発明の第１の側面の情報処理装置は、他の情報処理装置により管理されるウェブサイトの所定のページに表示される広告情報を管理する情報処理装置において、ユーザ端末の要求に対応して前記他の情報処理装置より送信されてくる前記ウェブサイトの前記所定のページの情報に含まれるアドレス情報を用いて行われる前記ユーザ端末からのアクセスを受け付ける受付手段と、前記受付手段により受け付けられた前記アクセスの情報から、前記ユーザ端末の識別情報を取得する取得手段と、複数の広告情報に関する履歴情報を、前記ユーザ端末の識別情報に対応付けて記憶するデータベースと、前記データベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択する選択手段と、前記選択手段により選択された前記広告情報を、前記ユーザ端末に送信する送信手段とを備える。
【０００９】
前記選択手段は、前記ユーザ端末の識別情報に対応する前記履歴情報を用いて、前記複数の広告情報の中から、前記ユーザ端末において直前に表示されていた広告情報を除外して、前記ユーザ端末に表示させる広告情報を選択することができる。
前記選択手段は、前記ユーザ端末の識別情報に対応する前記履歴情報を用いて、前記複数の広告情報の中から、前記ユーザ端末への送信回数が所定の送信回数を超えた広告情報を除外して、前記ユーザ端末に表示させる広告情報を選択することができる。
前記選択手段は、前記ユーザ端末の識別情報に対応する前記履歴情報を用いて、前記複数の広告情報の中から、前記ユーザ端末の地域外を送信対象とする広告情報を除外して、前記ユーザ端末に表示させる広告情報を選択することができる。
【００１０】
前記選択手段は、さらに、前記データベースから得られる前記履歴情報または前記広告情報の属性情報を用いて、除外されて残った複数の広告情報の中から、広告情報が表示された回数のうち、その対象が登録となる割合、表示された広告情報のクリック率、前記所定のページと広告情報の関連性、および、表示された広告情報に対する前記ユーザ端末のクリックの有無の少なくとも１つに基づいて、前記ユーザ端末に表示させる広告情報を選択する。
【００１１】
本発明の第１の側面の情報処理方法は、他の情報処理装置により管理されるウェブサイトの所定のページに表示される広告情報を管理する情報処理装置の情報処理方法において、前記情報処理装置が、ユーザ端末の要求に対応して前記他の情報処理装置より送信されてくる前記ウェブサイトの前記所定のページの情報に含まれるアドレス情報を用いて行われる前記ユーザ端末からのアクセスを受け付け、受け付けられた前記アクセスの情報から、前記ユーザ端末の識別情報を取得し、複数の広告情報に関する履歴情報を、前記ユーザ端末の識別情報に対応付けて記憶するデータベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択し、選択された前記広告情報を、前記ユーザ端末に送信するステップを含む。
【００１２】
本発明第１の側面のプログラムは、他の情報処理装置により管理されるウェブサイトの所定のページに表示される広告情報を管理する情報処理装置のコンピュータを、ユーザ端末の要求に対応して前記他の情報処理装置より送信されてくる前記ウェブサイトの前記所定のページの情報に含まれるアドレス情報を用いて行われる前記ユーザ端末からのアクセスを受け付ける受付手段と、前記受付手段により受け付けられた前記アクセスの情報から、前記ユーザ端末の識別情報を取得する取得手段と、複数の広告情報に関する履歴情報を、前記ユーザ端末の識別情報に対応付けて記憶するデータベースと、前記データベースから得られる前記ユーザ端末の識別情報に対応する前記履歴情報を用いて、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記複数の広告情報の中から、前記ユーザ端末に表示させる広告情報を選択する選択手段と、前記選択手段により選択された前記広告情報を、前記ユーザ端末に送信する送信手段として機能させる。
【００１３】
本発明の第２の側面の情報処理システムは、ユーザ端末、ウェブサイトを管理する第１の情報処理装置、および、前記ウェブサイトの所定のページに表示される広告情報を管理する第２の情報処理装置からなる情報処理システムにおいて、前記第１の情報処理装置は、前記ユーザ端末からの前記所定のページの要求に対応して、前記所定のページを構成する情報を送信する送信手段を備え、前記ユーザ端末は、前記所定のページを構成する情報に含まれるアドレス情報により特定される前記第２の情報処理装置にアクセスを行うアクセス手段と、前記アクセス手段による前記アクセスに対応して、前記第２の情報処理装置から送信されてくる前記広告情報を、前記所定のページ上に表示させる表示制御手段とを備え、前記第２の情報処理装置は、前記ユーザ端末からの前記アクセスを受け付ける受付手段と、前記受付手段により受け付けられた前記アクセスの情報から、前記ユーザ端末の識別情報を取得する取得手段と、複数の広告情報に関する履歴情報を、前記ユーザ端末の識別情報に対応付けて記憶するデータベースと、前記データベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報を選択する選択手段と、前記選択手段により選択された前記広告情報を、前記ユーザ端末に送信する送信手段とを備える。
【００１４】
本発明の第１の側面においては、ユーザ端末の要求に対応して他の情報処理装置より送信されてくるウェブサイトの所定のページの情報に含まれるアドレス情報を用いて行われる前記ユーザ端末からのアクセスが受け付けられ、受け付けられた前記アクセスの情報から、前記ユーザ端末の識別情報が取得される。そして、複数の広告情報に関する履歴情報を、前記ユーザ端末の識別情報に対応付けて記憶するデータベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報が選択され、選択された前記広告情報を、前記ユーザ端末に送信される。
【００１５】
本発明の第２の側面においては、第１の情報処理装置により、ユーザ端末からの所定のページの要求に対応して、前記所定のページを構成する情報が送信され、前記ユーザ端末により、前記所定のページを構成する情報に含まれるアドレス情報により特定される前記第２の情報処理装置にアクセスが行われ、前記アクセスに対応して、前記第２の情報処理装置から送信されてくる前記広告情報が、前記所定のページ上に表示され、前記第２の情報処理装置により、前記ユーザ端末からの前記アクセスが受け付けられ、受け付けられた前記アクセスの情報から、前記ユーザ端末の識別情報が取得され、複数の広告情報に関する履歴情報を、前記ユーザ端末の識別情報に対応付けて記憶するデータベースと、前記データベースから得られる前記ユーザ端末の識別情報に対応する前記履歴情報を用いて、前記複数の広告情報の中から、前記ユーザ端末において会員登録済みである、会員登録を商品として販売している広告主サイトが広告対象である広告情報、および過去の会員登録済みであった広告主サイトが広告対象である広告情報の少なくとも一方を除外して、前記ユーザ端末に表示させる広告情報が選択され、選択された前記広告情報が、前記ユーザ端末に送信される。
【発明の効果】
【００１６】
本発明の一側面によれば、ユーザに最適な広告を表示させることができる。これにより、ユーザに、その広告の対象物の購入を促進することができる。
【図面の簡単な説明】
【００１７】
【図１】本発明の一実施形態に係る広告情報提供システムの構成例を示す図である。
【図２】広告情報管理サーバの構成例を示すブロック図である。
【図３】広告情報管理サーバの機能構成を示すブロック図である。
【図４】広告情報提供システムの処理を説明するフローチャートである。
【図５】広告情報提供システムの処理の動作を説明する図である。
【図６】広告情報管理サーバの広告情報選択処理を説明するフローチャートである。
【図７】広告情報が表示された後の広告情報提供システムの処理を説明するフローチャートである。
【図８】広告情報が表示された後の広告情報提供システムの処理を説明するフローチャートである。
【発明を実施するための形態】
【００１８】
図１は、本発明を適用した広告情報提供システムの一実施形態の構成を示す図である。この広告情報提供システム１は、ユーザに応じて最適な広告情報を提供することにより、その広告対象の販売を促進するためのシステムである。
【００１９】
図１の例において、広告情報提供システム１は、携帯端末１１、ネットワーク１２、サイト管理装置１３、広告情報管理サーバ１４、ASP(Affiliate Service Provider)管理サーバ１５、および広告主サーバ１６から構成される。
【００２０】
広告情報提供システム１においては、インターネットに代表されるネットワーク１２に、携帯端末１１、サイト管理装置１３、広告情報管理サーバ１４、ASP管理サーバ１５、および広告主サーバ１６が接続されている。
【００２１】
携帯端末１１は、例えば、携帯電話機などで構成される。携帯端末１１は、図示せぬ基地局およびネットワーク１２を介して、サイト管理装置１３、広告情報管理サーバ１４、ASP管理サーバ１５、並びに広告主サーバ１６などと通信を行う。
【００２２】
具体的には、携帯端末１１は、例えば、ウェブサイトを閲覧するユーザの操作にしたがって、ネットワーク１２に接続された機器により提供されるウェブページを受信して、そのウェブページの画像などを表示する。
【００２３】
ここで、ウェブページは、ウェブページを閲覧するためのアプリケーションプログラムであるウェブブラウザによって、１つの画面に表示されるデータの集合であり、一般的に、HTML（HyperText Markup Language）によるレイアウト情報、テキストデータ、文書中に埋め込まれた画像（静止画または動画）のデータや音声のデータなどから構成される。また、ネットワーク１２に接続された携帯端末１１において閲覧させるために提供される一連のウェブページをウェブサイトともいう。
【００２４】
ネットワーク１２は、相互に接続されているインターネットまたは専用通信回線などからなり、例えば、TCP/IP（Transmission Control Protocol/Internet Protocol）などのプロトコルにしたがって、携帯端末１１、サイト管理装置１３、広告情報管理サーバ１４、ASP管理サーバ１５、並びに広告主サーバ１６を相互に通信させる。
【００２５】
サイト管理装置１３は、例えば、コミュニティのサービスなどを提供するウェブサイト２１を管理する事業者により設置される専用のサーバで構成される。なお、サイト管理装置１３は、例えば、ブログなどのウェブサイトを管理するユーザのパーソナルコンピュータなどで構成される場合もある。
【００２６】
サイト管理装置１３が管理するウェブサイト２１は、携帯端末１１からの閲覧の要求に応じて、ネットワーク１２を介して提供される一連のウェブページからなる。
【００２７】
サイト管理装置１３には、広告情報管理サーバ１４のアドレス情報（例えば、URL情報）がネットワーク１２を介して、広告情報管理サーバ１４から提供される。ウェブサイト２１を構成する所定のウェブページ（例えば、トップページ）には、広告主サイト２２の商品の広告情報が掲載されるが、サイト管理装置１３は、トップページのソースを作成する際に、広告情報の代わりに、広告主サイト２２の商品の広告情報を管理する広告情報管理サーバ１４のアドレス情報を記載する。
【００２８】
これによって、トップページを要求した携帯端末１１は、トップページのソースに記載されているアドレス情報を用いて広告情報管理サーバ１４にアクセスすることができる。このアクセスにより広告情報管理サーバ１４から、携帯端末１１のユーザに適した広告情報が送信されてくるので、携帯端末１１は、広告情報管理サーバ１４にからの広告情報が掲載されたトップページを表示することができる。
【００２９】
広告情報管理サーバ１４は、例えば、専用のサーバなどの機器から構成され、自分の広告主サイト２２の商品や広告主サイト２２の広告をしたい広告主と、その商品の広告を掲載して報酬を得たいウェブサイト２１の事業者とを仲介するサービスに関する処理を行う。
【００３０】
すなわち、広告情報管理サーバ１４は、ネットワーク１２を介して、広告主サーバ１６から、広告主サイト２２で販売されている商品に関する広告情報を受信して、複数の広告情報を蓄積する。広告情報管理サーバ１４は、広告情報の配信結果、携帯端末１１毎の広告情報のクリック情報、および成果情報などの広告情報に関する履歴情報をデータベースとして蓄積している。また、ASP管理サーバ１５から随時送信されてくる広告情報に関する履歴情報もデータベースに蓄積される。
【００３１】
広告情報管理サーバ１４は、サイト管理装置１３が管理するウェブサイト２１の所定のページを要求することにより携帯端末１１がアクセスしてくると、携帯端末１１の識別情報（例えば、UID）を取得する。そして、広告情報管理サーバ１４は、データベースから得られるUID（すなわち、携帯端末１１）またはすべてのUIDに対応する広告情報に関する履歴情報を用いて、複数の携帯端末１１のユーザに最適な広告情報を選択し、選択した広告情報を、携帯端末１１に送信する。
【００３２】
ASP管理サーバ１５は、例えば、ASPを利用する広告主サイト２２の商品や広告主サイト２２そのものの広告をしたい複数の広告主と、ASPサーバを有する複数のASPを仲介するアフィリエイトサービスを提供している。ASP管理サーバ１５は、専用のサーバなどの機器から構成され、そのアフィリエイトサービスによって得られる広告情報の履歴情報を、データベースとして構築している。
【００３３】
このASP管理サーバ１５が行うアフィリエイトサービスについて簡単に説明する。まず、ASP管理サーバ１５は広告主からの広告情報（この場合、ASP広告リンクと称する）を、ASPサーバを介して、ASPウェブサイトを管理する装置に提供する。
【００３４】
携帯端末１１が、ASPウェブサイトに貼られたASP広告リンクから、広告主サイト２２のトップページを要求すると、ASPサーバ、ASP管理サーバ１５を経由（リダイレクト）して、広告主サーバ１６にその要求が届き、その結果、トップページが携帯端末１１に送信される。その際、ASP管理サーバ１５においては、セッションが開始されたとして、携帯端末１１の識別情報としてUIDが取得され、ASPサーバとウェブサイトが判別され、セッションIDが生成される。このセッションIDは、セッションが終了するまでは、このセッションIDが付加された情報が、各装置間で送受信される。
【００３５】
このセッション中に、携帯端末１１が広告主サイト２２への登録を行うと、広告主サーバ１６において成果発生が判定されて、その通知がセッションIDとともに、ASP管理サーバ１５に送信される。ASP管理サーバ１５は、広告主サーバ１６からの成果の通知があると、その成果をデータベースに登録し、セッションは終了する。この成果は、ある期間でまとめて、ASPサーバや広告主サーバ１６に通知される。すなわち、ASP管理サーバ１５は、ASPサーバへの支払いを、ネットワーク１２を介して、まとめて広告主サーバ１６に請求し、それらの広告を掲載していたASPサーバに対して報酬を支払う。
【００３６】
以上のように、ASP管理サーバ１５は、セッション開始時には、携帯端末１１の識別情報や、どのASPウェブサイトからきたのか、どの広告がクリックされたかなどの履歴情報を得ることができる。また、ASP管理サーバ１５は、セッション終了時に、どの広告がクリックされて、それが成果達成となったのかの履歴情報などを知ることができる。
【００３７】
したがって、ASP管理サーバ１５のデータベースには、セッション中に得られる情報として、携帯端末のUID毎の広告情報のクリック情報や成果発生情報、広告対象の商品購入（サイト登録）情報などの広告情報に関する履歴情報がデータベースに蓄積されており、この情報が、逐次、広告情報管理サーバ１４に送信される。
【００３８】
なお、ASP管理サーバ１５は、この他にリスティング広告システムも提供しており、このリスティング広告システムで得られる履歴情報も、ASP管理サーバ１５に蓄積されてもよい。すなわち、ASP管理サーバ１５は、広告情報提供サービス１においては、データベース構築サーバとして機能している。
【００３９】
また、図１においては、広告情報提供サービス１の説明をわかりやすくするため、ASPウェアサイトやASPウェブサーバの図示は省略されている。また、広告主サーバ１６を用い、広告主サーバ１６がアフィリエイトサービスも利用する例を説明したが、広告主サーバ１６は、広告情報提供サービス１のみを利用する場合もあるし、アフィリエイトサービスと併用する場合もある。併用する場合には、広告情報の識別情報などは同じものが用いられる。
【００４０】
広告主サーバ１６は、例えば、専用のサーバなどの機器で構成され、ネットワーク１２上で商品を販売するためのウェブサイトである広告主サイト２２を提供している。すなわち、広告主サーバ１６は、広告主サイト２２をアクセスしたときに表示されるコンテンツを、携帯端末１１のユーザに提供している。
【００４１】
具体的には、広告主サーバ１６は、携帯端末１１に対して、広告主サイト２２の閲覧そのもの、すなわち、閲覧をできる権利の取得（会員登録）を、商品として販売（課金）している。ネットワーク１２を介して、携帯端末１１からの会員の登録要求があった場合、その要求は、携帯端末１１からネットワーク１２を介してキャリアサーバ１７に送信される。広告主サーバ１６は、キャリアサーバ１７においてユーザ認証され、広告主サイト２２に会員登録された携帯端末１１に対して、広告主サイト２２の会員専用ページを公開するサービスを提供する。
【００４２】
広告主サーバ１６は、ウェブサイト２１に掲載された広告主サイト２２の広告情報を経由して商品が購入された場合、すなわち、広告主サイト２２において会員登録がなされた場合、成果が発生したと判定して、広告情報管理サーバ１４に通知する。
【００４３】
また、広告主サーバ１６は、ASPウェブサイトに掲載された広告主サイト２２のASP広告リンク情報による広告を経由して商品が購入された場合、すなわち、広告主サイト２２において会員登録がなされた場合、成果が発生したと判定して、ASP管理サーバ１５に通知する。
【００４４】
キャリアサーバ１７は、携帯電話機や固定電話機などの電気通信サービスを提供する事業者が管理する専用のサーバなどの機器で構成される。キャリアサーバ１７は、広告主サーバ１６への会員登録を要求する携帯端末１１に対してパスワード入力ページ２３を、ネットワーク１２を介して、携帯端末１１に送信する。
【００４５】
キャリアサーバ１７は、携帯端末１１から送信されてきたパスワードによりユーザ認証ができた場合、携帯端末１１に対して広告主サイト２２への登録の課金処理を行い、広告主サーバ１６に対して所定の要求や完了通知を行う。広告主サーバ１６においては、これに対応して、成果の発生が検出される。このキャリアサーバ１７における課金の請求は、携帯端末１１の使用料とともに、キャリアサーバ１７を管理するキャリアから、携帯端末１１へのユーザに対して行われる。
【００４６】
なお、図１の例においては、携帯端末１１、サイト管理装置１３、広告主サーバ１６、およびキャリアサーバ１７が１台しか示されていないが、1台に限定されるわけではなく、複数台で構成される。もちろん、広告情報管理サーバ１４やASP管理サーバ１５も複数台で構成されてもよい。
【００４７】
図２は、広告情報管理サーバ１４のハードウェア構成の例を示すブロック図である。
【００４８】
図２の例の広告情報管理サーバ１４において、CPU（Central Processing Unit）５１は、ROM（Read Only Memory）５２に記憶されているプログラム、または記憶部５８からRAM（Random Access Memory）５３にロードされたプログラムに従って各種の処理を実行する。RAM５３にはまた、CPU５１が各種の処理を実行する上において必要なデータなども適宜記憶される。
【００４９】
CPU５１、ROM５２、およびRAM５３は、バス５４を介して相互に接続されている。このバス５４にはまた、入出力インタフェース５５も接続されている。
【００５０】
入出力インタフェース５５には、キーボード、マウスなどよりなる入力部５６、スピーカ、ディスプレイなどよりなる出力部５７、ハードディスクなどより構成される記憶部５８、並びにネットワーク１２を介しての他の機器との通信処理を制御する通信部５９が接続されている。
【００５１】
入出力インタフェース５５にはまた、必要に応じてドライブ６０が接続され、磁気ディスク、光ディスク、光磁気ディスク、または半導体メモリなどのリムーバブルメディア６１が適宜装着され、それらから読み出されたコンピュータプログラムが、必要に応じて記憶部５８にインストールされる。
【００５２】
なお、携帯端末１１、サイト管理装置１３、ASP管理サーバ１５、広告主サーバ１６、並びにキャリアサーバ１７を構成する機器は、それぞれ、図２の広告情報管理サーバ１４と同様のハードウェア構成を有するため、その説明は繰り返しになるので省略する。
【００５３】
また、広告情報管理サーバ１４のハードウェアの構成は、図２の例に限定されず、後述する図３の機能的構成を少なくとも有していればよい。
【００５４】
図３は、広告情報管理サーバ１４の機能的構成の例を示すブロック図である。
【００５５】
広告情報管理サーバ１４は、アクセス受付部１０１、識別情報取得部１０２、サイト情報取得部１０３、広告情報設定部１０４、広告情報選択部１０５、広告情報記憶部１０６、およびデータベース１０７を含むように構成されている。さらに、広告情報管理サーバ１４は、広告情報送信部１０８、セッション管理部１０９、データベース更新部１１０、およびデータ受信部１１１を含むように構成されている。
【００５６】
アクセス受付部１０１は、ネットワーク１２を介しての携帯端末１１からのアクセスを受け付け、受け付けたアクセスにより得られる情報を、識別情報取得部１０２およびサイト情報取得部１０３に供給する。受け付けたアクセスにより得られる情報には、携帯端末１１のアドレス（URL）情報、携帯端末１１の識別情報であるUID、経由してきたページ（例えば、ウェブサイト２１のトップページ）のURL情報などが含まれる。
【００５７】
識別情報取得部１０２は、アクセス受付部１０１から供給される情報から、UIDを取得し、取得したUIDを広告情報選択部１０５に供給する。サイト情報取得部１０３は、経由してきたページのURL情報を取得し、取得したURL情報を広告情報選択部１０５に供給する。
【００５８】
広告情報設定部１０４は、入力部５６を構成するマウスなどが操作されることで、広告主による最優先の広告情報を設定し、それを広告情報選択部１０５に供給する。また、広告情報設定部１０４は、携帯端末１１への広告情報の配信制限回数を設定し、それを広告情報選択部１０５に供給する。
【００５９】
広告情報選択部１０５は、広告情報記憶部１０６に記憶されている広告情報の中から、識別情報取得部１０２から供給されたUIDの携帯端末１１のユーザに最も適している広告情報を、広告情報設定部１０４により設定された情報およびデータベース１０７に記憶されている履歴情報などを用いて選択する。広告情報選択部１０５は、選択した広告情報を、広告情報送信部１０８に供給する。このとき、携帯端末１１のUIDとどの広告情報を選択したかの情報は、データベース更新部１１０に供給される。
【００６０】
広告情報記憶部１０６は、複数の広告主サーバ１６から提供される複数の広告情報を、広告情報の識別情報に対応付けて記憶する。また、広告情報記憶部１０６は、広告情報の内容（例えば、広告対象とするウェブサイトや配信地域）も記憶している。
【００６１】
データベース１０７は、広告情報の識別情報に対応付けて、広告情報に関する履歴情報を蓄積している。例えば、データベース１０７には、広告情報のクリック率(CTR : クリック・スルー・レート)、広告情報のCPI(コンバージョン・パー・インプレッション)などが蓄積されている。
【００６２】
なお、クリック率とは、広告情報がクリックされた割合であって、クリック数÷インプレッション（広告が表示／配信された回数）で算出される割合である。CPIとは、インプレッションのうち、何割がコンバージョン（成果達成）に至るのかの割合を示す指標である。
【００６３】
また、データベース１０７には、UID毎の広告情報の配信履歴、UID毎の広告情報の配信回数、UID毎の広告情報の広告対象とするウェブサイトへの登録履歴情報（現在および過去）、UID毎の広告情報のクリック履歴情報(セッションID含む）なども蓄積されている。さらに、データベース１０７には、データベース化されている履歴情報から割り出されたUID毎の地域情報（どの地域に属しているか）も蓄積されている。
【００６４】
広告情報送信部１０８は、アクセス受付部１０１から供給される情報から、携帯端末１１のアドレス情報を取得し、そのアドレスに、広告情報選択部１０５からの広告情報を送信する。
【００６５】
セッション管理部１０９は、広告情報送信部１０８により送信された広告情報をクリックした携帯端末１１がアクセスしてくるので、そのソースコードにセッションIDと対応する広告主サイト２２のトップページへのリダイレクト指示を付加して、携帯端末１１に返す。このとき、この広告情報がクリックされた情報は、セッションIDとともにデータベース更新部１１０に供給される。また、セッション管理部１０９は、成果発生の通知を広告主サーバ１６から受ける。このとき、セッション管理部１０９は、セッションIDと成果発生の通知を、データベース更新部１１０に供給する。
【００６６】
データベース更新部１１０は、広告情報選択部１０５からの情報、セッション管理部１０９からの情報、およびデータ受信部１１１からの情報を用いて、データベース１０７に蓄積されている履歴情報を更新する。
【００６７】
すなわち、データベース更新部１１０は、広告情報選択部１０５からの携帯端末１１のUIDとどの広告情報を選択したかの情報により、UID毎の広告情報の配信回数を更新する。データベース更新部１１０は、セッション管理部１０９からの広告情報がクリックされた情報とセッションIDにより、クリック履歴情報および広告情報のクリック率を更新し、セッション管理部１０９からのセッションIDと成果発生の通知により、UID毎の広告対象とするウェブサイトへの登録情報および広告情報のCPIを更新する。また、データベース更新部１１０は、ASP管理サーバ１５からの更新情報により、広告情報のクリック率、広告情報のCPI 、UID毎の広告対象とするウェブサイトへの登録情報（現在および過去）、UID毎の広告情報のクリック履歴情報などを更新する。
【００６８】
データ受信部１１１は、ASP管理サーバ１５のデータベースにおける更新情報（クリック回数の変更や成果発生など）を受信し、その情報をデータベース更新部１１０に供給する。
【００６９】
次に、図４のフローチャートを参照して、図１の広告情報提供システム１の処理について説明する。なお、以下の説明においては、適宜、図５も参照される。
【００７０】
ステップＳ１１において、携帯端末１１は、ウェブサイト２１にアクセスする。すなわち、携帯端末１１は、ウェブサイト２１のトップページを、サイト管理装置１３に要求する（図５の矢印Ａ１参照）。
【００７１】
サイト管理装置１３は、ステップＳ２１において、携帯端末１１からの要求に対応して、ウェブサイト２１のトップページの情報を、携帯端末１１に送信する（図５の矢印Ａ２参照）。このトップページのソースには、広告主サイト２２の広告情報の代わりに、広告情報管理サーバ１４のアドレス情報が記載されている。
【００７２】
ステップＳ１２において、携帯端末１１は、ウェブサイト２１のトップページの情報を受信し、トップページに記載のアドレス情報を参照して、ステップＳ１３において、広告情報管理サーバ１４にアクセスする（図５の矢印Ａ３参照）。
【００７３】
広告情報管理サーバ１４のアクセス受付部１０１は、携帯端末１１からのアクセスを受け付け、受け付けたアクセスにより得られる情報を、識別情報取得部１０２およびサイト情報取得部１０３に供給する。受け付けたアクセスにより得られる情報には、携帯端末１１のアドレス（URL）情報、携帯端末１１の識別情報であるUID、経由してきたウェブサイト２１のトップページのURL情報などが含まれる。
【００７４】
ステップＳ３１において、識別情報取得部１０２は、アクセス受付部１０１から供給される情報から、UIDを取得し（図５のＡ４参照）、取得したUIDを、広告情報選択部１０５に供給する。このとき、サイト情報取得部１０３は、経由してきたページのURL情報を取得し、取得したURL情報を広告情報選択部１０５に供給する。
【００７５】
ステップＳ３２において、広告情報選択部１０５は、広告情報記憶部１０６に記憶されている複数の広告情報の中から、携帯端末１１のユーザに最適な広告情報を選択する広告情報選択処理を実行する。
【００７６】
すなわち、広告情報選択部１０５は、広告情報記憶部１０６に記憶されている複数の広告情報の中から、識別情報取得部１０２から供給されたUIDの携帯端末１１のユーザに最も適している広告情報を、広告情報設定部１０４により設定された情報およびデータベース１０７に記憶されている履歴情報などを用いて選択する。このとき、UID毎あるいはすべてのUIDに対応する履歴情報が用いられる。
【００７７】
なお、データベース１０７の履歴情報は、逐次、ASP管理サーバ１５のデータベースからの更新情報でも更新されている（図５の矢印Ａ５参照）。
【００７８】
この広告情報選択処理の詳細は、図６を参照して後述されるが、ステップＳ３２の処理により、例えば、複数の広告Ａ、広告Ｂ、広告Ｃの中から、太線に囲まれている広告Ｂが、携帯端末１１のユーザに最適であるとして選択される（図５の矢印Ａ６参照）。
【００７９】
携帯端末１１のUIDとどの広告情報を選択したかの情報は、データベース更新部１１０に供給される。ステップＳ３３において、データベース更新部１１０は、この情報を用いて、データベース１０７に蓄積されている履歴情報を更新する。すなわち、広告情報選択部１０５からの携帯端末１１のUIDとどの広告情報を選択したかの情報により、データベース１０７の対応するUIDの広告情報の配信回数が更新される。
【００８０】
一方、ステップＳ３２において選択された広告Ｂ情報は、広告情報送信部１０８に供給されるので、ステップＳ３４において、広告情報送信部１０８は、アクセス受付部１０１から供給される情報から取得される携帯端末１１のアドレスに、広告情報選択部１０５からの広告Ｂ情報を送信する（図５の矢印Ａ７参照）。
【００８１】
携帯端末１１は、ステップＳ１４において、広告Ｂ情報を受信して、ステップＳ１５において、ウェブサイト２１における、広告Ｂ情報が掲載されているトップページを、LCDなどからなる表示部１３１に表示する。
【００８２】
次に、図６のフローチャートを参照して、図４のステップＳ３２の広告選択処理について説明する。
【００８３】
広告情報選択部１０５は、ステップＳ５１において、広告情報設定部１０４により広告主による最優先の広告情報が設定されているか否かを判定する。ステップＳ５１において、最優先の広告情報が設定されていると判定された場合、ステップＳ５２において、広告情報選択部１０５は、設定されている最優先の広告情報を、広告情報記憶部１０６より読み出して、広告情報送信部１０８に供給する。
【００８４】
これにより、広告主の意図を最優先させることができる。
【００８５】
一方、ステップＳ５１において、最優先の広告情報が設定されていないと判定された場合、処理は、ステップＳ５３に進む。
【００８６】
広告情報選択部１０５は、ステップＳ５３において、広告情報記憶部１０６に記憶されている広告情報全てを候補とする。
【００８７】
広告情報選択部１０５は、ステップＳ５４において、データベース１０７の履歴情報のうち、広告情報の広告対象とする広告主サイト２２への登録履歴情報（現在および過去）を参照して、取得されたUIDの携帯端末１１が、過去もしくは現在に登録履歴のある広告情報を候補から除外する。すなわち、携帯端末１１が現在登録している広告主サイト２２の広告情報である場合や、携帯端末１１が過去登録していたが、現在は退会している広告主サイト２２の広告情報である場合、その広告情報は候補から除外される。
【００８８】
広告情報選択部１０５は、ステップＳ５５において、データベース１０７の履歴情報のうち、取得されたUIDの携帯端末１１の広告情報の配信履歴を参照して、携帯端末１１が、直前に選択した広告情報を候補から除外する。
【００８９】
広告情報選択部１０５は、ステップＳ５６において、データベース１０７の履歴情報のうち、取得されたUIDの携帯端末１１の広告情報の配信回数を参照して、広告情報設定部１０４により予め設定されている配信回数を超えている広告情報を候補から除外する。
【００９０】
広告情報選択部１０５は、ステップＳ５７において、データベース１０７の履歴情報から分析される、取得されたUIDの携帯端末１１の地域情報と、広告情報記憶部１０６に記憶されている広告情報の配信地域などを参照して、携帯端末１１のユーザの地域に対応していない広告情報を候補から除外する。この携帯端末１１の地域情報は、携帯端末１１のユーザが地域限定サイトに登録していたという履歴やキャリアサーバ１７から入手可能な地域情報などから分析される。
【００９１】
すなわち、ユーザの地域が、配信対象地域ではない広告情報が候補から除外される。また、これにより、特定の地域からのアクセスに対してだけ、特別な広告情報を配信したり、地域に応じて異なる広告情報を配信することができる。
【００９２】
以上の除外処理がなされることにより、候補が絞られ、１つの広告情報が選択される。すなわち、ユーザによりクリックされる可能性の低い広告情報が除外され、ユーザによりクリックされる可能性の高い広告情報が選択される。ただし、絞られた結果、それでもまだ複数の候補がある場合には、ステップＳ５８において、広告情報選択部１０５は、絞られた候補の中から、以下の方法により、さらにユーザに適した広告情報を選択する。選択された広告情報は、広告情報記憶部１０６から読み出されて、広告情報送信部１０８に送信される。
【００９３】
例えば、広告情報選択部１０５は、データベース１０７の履歴情報のうち、広告情報のクリック率を参照して、クリック率が高い広告情報を選択する。また、例えば、広告情報選択部１０５は、データベース１０７の履歴情報のうち、広告情報のCPIを参照して、CPIが高い広告情報を選択する。すなわち、一般的な傾向から、クリックされる確率や、成果達成確率の高いものを携帯端末１１に表示させることにより、ユーザがその広告情報に対してクリックする可能性が高くなる。
【００９４】
また、例えば、広告情報選択部１０５は、サイト情報取得部１０３から取得されたURLが示すページの内容と、広告情報記憶部１０６に記憶されている広告情報の内容とを比較することにより、関連性のある広告情報を選択する。なお、この場合、URLが示すウェブサイト２１のページの内容は、図示せぬサイト情報記憶部に予め記憶されている。
【００９５】
すなわち、あるウェブサイト２１を見るということは、ウェブサイト２１の内容に興味があるユーザであるので、そのウェブサイト２１の内容と関連性のある広告情報を携帯端末１１に表示させることにより、ユーザがその広告情報に対してクリックする可能性を高くすることができる。
【００９６】
さらに、例えば、取得されたUIDの携帯端末１１の広告情報の配信履歴を参照して、携帯端末１１により一度クリックされたことのある広告情報を選択する。すなわち、クリックされたことのある広告情報を再度表示させることで、ウェブサイトへの再訪や購入を促すことができる。
【００９７】
なお、ステップＳ５８においては、これらの方法のうちの１つを用いてもよいし、複数を組み合わせて用いてもよい。また、ステップＳ５４乃至Ｓ５７で上述した方法もすべて用いる必要はなく、そのうちのいずれか１つの方法を用いてもよいし、そのうちの複数の方法を組み合わせて用いてもよい。さらに、ステップＳ５４乃至Ｓ５７の方法を用いずに、ステップＳ５８のいずれかの方法のみを用いることもできる。
【００９８】
以上のように、データベース１０７に記憶されている携帯端末毎あるいはすべての広告情報の履歴情報などを用いて、ユーザに最適な広告情報を選択して、ユーザの携帯端末１１に表示させるようにした。これにより、広告主は、数限りある広告情報の提示の機会を無駄に損失することなく、有効に活用することができる。その結果、広告対象の商品購入やサイト登録を促進することができる。
【００９９】
また、その結果、サイト管理装置１３の管理者にとっては、広告の掲載を依頼する広告主が増えるので、収益を拡大させることができる。
【０１００】
次に、図７および図８のフローチャートを参照して、図４のステップＳ１５において、携帯端末１１においてウェブサイトのトップページが表示された後の広告情報提供システム１の処理について説明する。
【０１０１】
すなわち、携帯端末１１は、図４のステップＳ１５において、ウェブサイト２１のトップページを表示する。例えば、そのトップページには、広告主サイト２２の広告Ｂ情報が掲載されている。ユーザの操作により広告Ｂ情報が選択されると、携帯端末１１は、ステップＳ１０１において、広告Ｂ情報のソースを参照し、その広告Ｂ情報の広告対象である広告主サイト２２のトップページを要求する。広告Ｂ情報のソースには、広告情報管理サーバ１４のアドレスが示されているので、この要求情報は、広告情報管理サーバ１４に送信される。
【０１０２】
広告情報管理サーバ１４のセッション管理部１０９は、携帯端末１１からのトップページの要求情報を受信すると、ステップＳ１２１において、サイト管理装置１３のウェブサイト２１を判別する。広告情報管理サーバ１４のセッション管理部１０９は、ステップＳ１２２において、携帯端末１１からの要求情報に、今回のセッションを識別するセッションIDを付加し、携帯端末１１に送信する。
【０１０３】
また、ステップＳ１２３において、広告情報管理サーバ１４のデータベース更新部１１０は、携帯端末１１からのトップページの要求情報を用いて、データベース１０７を更新する。例えば、この情報（セッション管理部１０９からの広告情報がクリックされた情報とセッションID）により、データベース１０７における広告情報のクリックに関する履歴情報（クリック回数やクリック率など）が更新される。
【０１０４】
携帯端末１１は、広告情報管理サーバ１４からのトップページの要求情報を受信すると、ステップＳ１０２において、リダイレクトを行う。すなわち、携帯端末１１は、受信したトップページの要求情報を、そのまま、広告主サーバ１６に送信する。
【０１０５】
広告主サーバ１６は、トップページの要求情報を受信すると、ステップＳ１３１において、トップページの情報を携帯端末１１に送信する。
【０１０６】
携帯端末１１は、広告主サーバ１６から、広告主サイト２２のトップページの情報を受信し、ステップＳ１０３において、広告主サイト２２のトップページを表示する。例えば、トップページに、広告主サイト２２の会員登録を行う登録ページへのリンクが掲載されている。
【０１０７】
ユーザの操作により登録ページへのリンクが選択されると、携帯端末１１は、リンク情報を参照し、ステップＳ１０４において、広告主サイト２２の登録ページを広告主サーバ１６に要求する。
【０１０８】
広告主サーバ１６は、登録ページの要求情報を受信すると、ステップＳ１３２において、広告主サイト２２の登録ページの情報を携帯端末１１に送信する。
【０１０９】
携帯端末１１は、広告主サーバ１６から、広告主サイト２２の登録ページの情報を受信し、ステップＳ１０５において、広告主サイト２２の登録ページを表示する。携帯端末１１に表示される登録ページにおいて、ユーザが登録を指示する。この指示操作に対応して、携帯端末１１は、図８のステップＳ１０６において、キャリアサーバ１７に対して会員登録を要求する。
【０１１０】
キャリアサーバ１７は、携帯端末１１からの登録要求情報を受信すると、ステップＳ１５１において、パスワード入力ページ２３の情報を、携帯端末１１に送信する。
【０１１１】
携帯端末１１は、パスワード入力ページ２３の情報を受信し、ステップＳ１０７において、パスワード入力ページ２３を表示する。携帯端末１１に表示されるパスワード入力ページ２３において、ユーザがパスワードを入力し、決定を指示する。この入力および指示操作に対応して、携帯端末１１は、ステップＳ１０８において、キャリアサーバ１７に対してパスワード情報を送信する。
【０１１２】
キャリアサーバ１７は、携帯端末１１からパスワード情報を受信し、携帯端末１１から受信したパスワードを用いて、ステップＳ１５２において、携帯端末１１のユーザの認証処理を行う。認証が完了すると、キャリアサーバ１７は、ステップＳ１５３において、広告主サイト２２の完了通知ページの携帯端末１１への送信を、携帯端末１１を介して、広告主サーバ１６に要求する。
【０１１３】
携帯端末１１は、キャリアサーバ１７からの完了通知ページの要求情報を受信すると、ステップＳ１０９において、リダイレクトを行う。すなわち、携帯端末１１は、受信した完了通知ページの要求情報を、そのまま、広告主サーバ１６に送信する。
【０１１４】
広告主サーバ１６は、完了通知ページの要求情報を受信すると、成果が発生したと判定し、ステップＳ１３３において、受信した要求情報に付加されている（引き継がれている）セッションIDを、広告情報管理サーバ１４に送信する。
【０１１５】
広告情報管理サーバ１４のセッション管理部１０９は、広告主サーバ１６からのセッションIDを受信すると、ステップＳ１２４において、セッションIDに対応付けられているウェブサイトの成果を、図示せぬ成果記憶部に登録する。
【０１１６】
このように、広告情報管理サーバ１４においては、セッションIDに対応付けて成果が登録されるので、セッションIDが重複した場合には、成果は登録されない。すなわち、このセッションIDは、セッションが完了するまで要求情報のURLなどに引き継がれるので、要求情報などが偽装されたとしても、不正な成果の反映が防止される。なお、広告情報管理サーバ１４における成果の情報は、広告情報管理サーバ１４により後日まとめてサイト管理装置１３などに送信される。
【０１１７】
そして、データベース更新部１１０は、ステップＳ１２５において、この成果発生の情報を用いて、データベース１０７を更新する。すなわち、データベース更新部１１０は、セッション管理部１０９からのセッションIDと成果発生の通知により、UID毎の広告対象とするウェブサイトへの登録情報および広告情報のCPIなどを更新する。
【０１１８】
一方、広告主サーバ１６は、ステップＳ１３４において、広告主サイト２２の完了通知ページの情報を携帯端末１１に送信する。
【０１１９】
携帯端末１１は、広告主サイト２２の完了通知ページの情報を受信し、ステップＳ１１０において、広告主サイト２２の完了通知ページを表示する。
【０１２０】
以上のように、広告情報提供システム１においては、データベース１０７に記憶されているUID毎またはすべての広告情報の履歴情報などを用いて、ユーザに最適な広告情報を選択して、ユーザの携帯端末１１に表示させるようにした。これにより、広告主は、数限りある広告情報の提示の機会を無駄に損失することなく、有効に活用することができる。その結果、広告対象の商品購入やサイト登録を促進することができる。
【０１２１】
さらに、その結果、サイト管理装置１３の管理者にとっては、広告の掲載を依頼する広告主が増えるので、収益を拡大させることができる。
【０１２２】
なお、上記説明においては、広告情報が掲載されるページがウェブサイトのトップページであると説明したが、トップページに限らず、ウェブサイトを構成するページであればどのページであってもよい。また、上記説明においては、ウェブページに掲載される広告情報が１つの例を説明したが、複数掲載される場合には、ユーザに最適な複数の広告情報が選択される。この場合、広告情報の選択には、競合排除も考慮される。
【０１２３】
さらに、上記説明においては、広告の対象物が、広告主サイト（のコンテンツ）である場合を説明したが、もちろん、広告の対象物が、広告主サイトで販売される商品の場合にも、本発明を適用することができる。
【０１２４】
上述した一連の処理は、ハードウェアにより実効させることもできるし、ソフトウェアにより実効させることもできる。一連の処理を、ソフトウェアにより実行させる場合には、図２のコンピュータにおいては、CPU５１が、例えば、記憶部５８に記憶されているプログラムを入出力インタフェース５５及びバス５４を介してRAM５３にロードして実行することにより、上述した一連の処理が行われる。
【０１２５】
コンピュータ（CPU５１）が実行するプログラムは、例えば、パッケージメディア等としてのリムーバブルメディア６１に記録して提供することができる。また、プログラムは、ローカルエリアネットワーク、インターネット、デジタル放送といった、有線または無線の伝送媒体を介して提供することができる。
【０１２６】
コンピュータでは、プログラムは、リムーバブルメディア６１をドライブ６０に装着することにより、入出力インタフェース５５を介して、記憶部５８にインストールすることができる。また、プログラムは、有線または無線の伝送媒体を介して、通信部５９で受信し、記憶部５８にインストールすることができる。その他、プログラムは、ROM５２や記憶部５８に、あらかじめインストールしておくことができる。
【０１２７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２８】
また、本明細書において、システムとは、複数の装置により構成される装置全体を表すものである。
【０１２９】
なお、本発明の実施の形態は、上述した実施の形態に限定されるものではなく、本発明の要旨を逸脱しない範囲において種々の変更が可能である。
【符号の説明】
【０１３０】
１  広告情報提供システム，  １１  携帯端末，  １２  ネットワーク，  １３  サイト管理装置，  １４  広告情報管理サーバ，  １５  ASP管理サーバ，  １６  広告主サーバ,  １７  キャリアサーバ，  ２１  ウェブサイト，  ２２  広告主サイト，  １０１  アクセス受付部，  １０２  識別情報取得部，  １０３  サイト情報取得部，  １０４  広告情報設定部，  １０５  広告情報選択部，  １０６  広告情報記憶部，  １０７  データベース，  １０８  広告情報送信部，  １０９  セッション管理部，  １１０  データベース更新部，  １１１  データ受信部
【図１】
0005562602.tif 000002
【図２】
0005562602.tif 000003
【図３】
0005562602.tif 000004
【図４】
0005562602.tif 000005
【図５】
0005562602.tif 000006
【図６】
0005562602.tif 000007
【図７】
0005562602.tif 000008
【図８】
0005562602.tif 000009